(57)【要約】【課題】臭気による不快感を与えない冷蔵庫に関し、貯蔵室の臭気濃度を常に低い状態で持続し、さらに、可燃性冷媒を用いた冷蔵庫にも安心して紫外線ランプが使用できる冷蔵庫の提供を図る。【解決手段】貯蔵室１の開口部にエアーカーテンを形成する送風機４と、冷気通路８内に無電極型紫外線ランプ５と、脱臭フィルタ６と、臭気濃度を検知するガスセンサ７とを備え、扉３が閉じられている場合、貯蔵室１内の臭気濃度を検知するガスセンサ７の出力に応じて無電極型紫外線ランプ５と送風機４の運転を制御し貯蔵室１の臭気濃度を常に低い状態で持続するものである。【選択図】  図１
2004325039.tif 000002
【特許請求の範囲】
【請求項１】
貯蔵室の前面開口部を開閉自在な扉と、前記貯蔵室の上部に形成され下方に冷気を吹き降ろす吹出口と、前記吹出口より下方に形成された吸込口と、前記吹出口と前記吸込口を連通する冷気通路と、前記冷気通路内に配設された送風機と紫外線を発生する無電極型紫外線ランプと脱臭フィルタと、前記貯蔵室内の臭気濃度を検知するガスセンサとを備え、前記扉が閉じられている場合、前記ガスセンサの出力に応じて前記無電極型紫外線ランプと前記送風機の運転を制御することを特徴とする冷蔵庫。
【請求項２】
扉が開放された場合、ガスセンサの出力にかかわらず送風機を運転することを特徴とする請求項１記載の冷蔵庫。
【請求項３】
貯蔵室の両側面のどちらか一方に形成された第２の吹出口と、その反対側に形成された第２の吸込口と、前記第２の吹出口と前記第２の吸込口を連通する第２の冷気通路と、前記第２の冷気通路内に配設された第２の送風機とを備え、扉が開放された場合、前記第２の送風機を運転することを特徴とする請求項１または２に記載の冷蔵庫。
【請求項４】
無電極型紫外線ランプは２００ｎｍ以下の紫外線を照射することを特徴とする請求項１から請求項３のいずれかに記載の記載の冷蔵庫。
【請求項５】
無電極型紫外線ランプを脱臭フィルタの風上に設けたことを特徴とする請求項１から請求項４のいずれかに記載の冷蔵庫。
【請求項６】
無電極型紫外線ランプを冷気通路内で、吹出口付近に設けたことを特徴とする請求項１から請求項４のいずれかに記載の冷蔵庫。
【請求項７】
光触媒を無電極型紫外線ランプの風上に設けたことを特徴とする請求項１から請求項４のいずれかに記載の冷蔵庫。
【発明の詳細な説明】
【０００１】
【発明の属する技術分野】
本発明は、冷蔵庫に関するものである。
【０００２】
【従来の技術】
近年、脱臭触媒を用いた冷蔵庫があるものの冷蔵庫の臭い対策についてはユーザ側の臭い対策、例えばキムコのような消臭剤による対策がほとんどである。
【０００３】
従来の冷蔵庫としては、紫外線を発生する放電ランプを冷気循環風路内に備えたものがある（例えば、特許文献１参照。）。
【０００４】
以下、図面を参照しながら、上記従来の冷蔵庫について説明する。
【０００５】
図８は従来の冷蔵庫の貯蔵室断面図である。図８に示すように、従来の冷蔵庫は、断熱箱体１０１と、送風機１０２と、冷却器１０３と、紫外線放電ランプ１０４と、扉１０５と、冷気を吹出すための冷気風路１０６と、戻り冷気を冷却器に戻すための戻りダクト１０７から構成されている。
【０００６】
以上のように構成された冷蔵庫について、以下その動作を説明する。
【０００７】
冷却器１０３からの冷気が送風機１０２により冷気を吹出す冷気通路１０６を介して庫内上部の吹出口より吹出される。そして、貯蔵室からの戻り冷気が冷却器１０３に戻すための戻りダクト１０７を通り、紫外線放電ランプ１０４の紫外線により殺菌・脱臭が行われる。
【０００８】
【特許文献１】
特開２００２−３２７９７８号公報
【０００９】
【発明が解決しようとする課題】
しかしながら、上記従来のような構成は、貯蔵室内の臭気濃度が高くても低くても常時紫外線ランプ１０４が点灯するという欠点があった。また、従来のような紫外線ランプ１０４は寿命が３０００時間から３００００時間であり、冷蔵庫の運転状態を考えた時に紫外線ランプ４の寿命は６００００から７００００時間必要であるという欠点があった。また、近年環境対策のため地球温暖化係数が極端に小さい冷媒であるＲ６００ａなどは可燃性であるため、従来のような有電極タイプの紫外線ランプ４は電極部に難燃仕様を施さなければならずコストがかかるという欠点があった。
【００１０】
本発明は従来の課題を解決するもので、貯蔵室の臭気濃度を常に低い状態で持続でき、また、紫外線ランプの寿命が７００００時間にすることができ、またさらに、可燃性冷媒を用いた冷蔵庫にも安心して紫外線ランプが使用できる冷蔵庫を提供することを目的とする。
【００１１】
【課題を解決するための手段】
本発明の請求項１に記載の発明は、貯蔵室の前面開口部を開閉自在な扉と、前記貯蔵室の上部に形成され下方に冷気を吹き降ろす吹出口と、前記吹出口より下方に形成された吸込口と、前記吹出口と前記吸込口を連通する冷気通路と、前記冷気通路内に配設された送風機と紫外線を発生する無電極型紫外線ランプと脱臭フィルタと、前記貯蔵室内の臭気濃度を検知するガスセンサとを備え、前記扉が閉じられている場合、前記ガスセンサの出力に応じて前記無電極型紫外線ランプと前記送風機の運転を制御するものであり、貯蔵室の臭気濃度が低い時は無電極型紫外線ランプと送風機の運転を停止し、貯蔵室の臭気濃度が中程の時は無電極型紫外線ランプは消灯し送風機を運転し、貯蔵室の臭気濃度が高い時は無電極紫外線ランプを点灯し送風機を運転することにより貯蔵室の臭気濃度を常に低い状態で持続することができる。
【００１２】
また、無電極型紫外線ランプは点灯方式によりガラスバルブの温度が大きく上昇しないため寿命劣化原因が少ないため無電極型紫外線ランプの寿命を約７００００時間にすることができる。
【００１３】
またさらに、無電極型紫外線ランプであるため電極部がなくしかも放電部が大気空間ではなくランプ内にあるため可燃性冷媒を用いた冷蔵庫にも安心して使用できるという作用を有する。
【００１４】
本発明の請求項２に記載の発明は、請求項１に記載の発明において、扉が開放された場合、ガスセンサの出力にかかわらず送風機を運転するものであり、貯蔵室上部の吹出口と吹出口の下方もしくは貯蔵室の奥部にある吸込口により形成されるエアーカーテンで貯蔵室内の臭気と冷蔵庫の外気とを遮断するため、扉開時に貯蔵室内の臭気漏れを低減することができ、不快感を与えないという作用を有する。
【００１５】
本発明の請求項３に記載の発明は、請求項１または請求項２に記載の発明に、さらに、貯蔵室の両側面のどちらか一方に形成された第２の吹出口と、その反対側に形成された第２の吸込口と、前記第２の吹出口と前記第２の吸込口を連通する第２の冷気通路と、前記第２の冷気通路内に配設された第２の送風機とを備え、扉が開放された場合、前記第２の送風機を運転するものであり、貯蔵室の前両側面にある第２の吹出口と第２の吸込口により形成される第２のエアーカーテンで扉付近に気流の流れが起こるため、扉開時に扉に誘引される臭気を吸引し、不快感を与えないという作用を有する。
【００１６】
本発明の請求項４に記載の発明は、請求項１から請求項３のいずれかに記載の発明において、無電極型紫外線ランプは２００ｎｍ以下の紫外線を照射するものであり、紫外線を酸素分子照射・吸収させると酸素分子が解離しオゾンが発生するが、特に２００ｎｍ以下の紫外線の場合酸素分子を解離するのに有効なエネルギーが得られるため、その発生したオゾンが脱臭フィルタに吸着した臭気を分解するという作用を有する。
【００１７】
本発明の請求項５に記載の発明は、請求項１から請求項４にいずれかの記載の発明において、無電極型紫外線ランプを脱臭フィルタの風上に設けるものであり、無電極型紫外線ランプから発生したオゾンがエアーカーテン用送風機の風により浮遊し脱臭フィルタに直接あたるので効果的に吸着した臭気を分解するという作用を有する。
【００１８】
本発明の請求項６に記載の発明は、請求項１から請求項４のいずれかに記載の発明において、無電極型紫外線ランプを冷気通路内で、吹出口付近に設けたものであり、無電極型紫外線ランプから発生したオゾンが送風機の風により貯蔵室内へ吐出されるので貯蔵室の壁面に付着した臭気を分解するという作用を有する。
【００１９】
本発明の請求項７に記載の発明は、請求項１から請求項４のいずれかに記載の発明において、光触媒を無電極型紫外線ランプの風上に設けるものであり、脱臭フィルタによる物理吸着や化学吸着では分解しきれない臭気を光触媒の酸化分解により分解するため複合臭を低減できるという作用を有する。
【００２０】
【発明の実施の形態】
以下、本発明による冷蔵庫の実施の形態について、図面を参照しながら説明する。なお、従来と同一構成については、同一符号を付して詳細な説明を省略する。
【００２１】
（実施の形態１）
図１は、本発明の実施の形態１による冷蔵庫の断面図である。
【００２２】
図１に示すように、貯蔵室１は、断熱箱体２より構成され、貯蔵室１の開口には開閉自在な扉３が設けられている。エアーカーテン用送風機４と紫外線を発生する無電極型紫外線ランプ５と脱臭フィルタ６と貯蔵室１内の臭気濃度を検知するガスセンサ７はエアーカーテン用冷気通路８内に設けられている。エアーカーテン用冷気通路８は貯蔵室１の上部にある吹出口９と吹出口９の下方もしくは貯蔵室１の奥部にある吸込口１０により構成されている。
【００２３】
以上のように構成された冷蔵庫について、以下その動作を説明する。
【００２４】
各場合における本実施の形態の冷蔵庫の各部の状態を（表１）に示す。
【００２５】
【表１】
2004325039.tif 000003
【００２６】
まず、扉３が閉じられている状態で貯蔵室１の臭気濃度が低い場合、すなわち例えばメチルメルカプタンの濃度が０．３ｐｐｂ程度以下、また例えばジメチルサルファイドの濃度が０．５ｐｐｂ程度以下、またさらに例えばジメチルジサルファイドの濃度が０．９ｐｐｂ程度以下、さらに例えばトリメチルアミンの濃度が１０ｐｐｂ程度以下、またさらに例えばエタノールの濃度が０．３ｐｐｍ程度以下、さらに例えばメタノールの濃度が０．０５ｐｐｍ程度以下の場合は、無電極型紫外線ランプ５を消灯し、エアーカーテン用送風機４を停止する。
【００２７】
したがって、貯蔵室１の臭気濃度が低い状態のままであるため、貯蔵室１の臭気濃度が低い冷蔵庫が実現できる。
【００２８】
また、扉３が閉じられている状態で貯蔵室１の臭気濃度が中程の場合、すなわち例えばメチルメルカプタンの濃度が０．３ｐｐｂから０．７ｐｐｂ程度、また例えばジメチルサルファイドの濃度が０．５ｐｐｂから２ｐｐｂ程度、またさらに例えばジメチルジサルファイドの濃度が０．９ｐｐｂから３ｐｐｂ程度、さらに例えばトリメチルアミンの濃度が１０ｐｐｂから２０ｐｐｂ程度、またさらに例えばエタノールの濃度が０．３ｐｐｍから０．５ｐｐｍ程度、さらに例えばメタノールの濃度が０．０５ｐｐｍから０．１ｐｐｍ程度の場合は、無電極型紫外線ランプ５を消灯し、エアーカーテン用送風機４を運転する。
【００２９】
したがって、エアーカーテン用送風機４が運転するため、エアーカーテン用冷気通路８内に設けられた脱臭フィルタ６に貯蔵室１内の臭気を含んだ空気が通過するため臭気が脱臭フィルタ６により吸着され脱臭フィルタ６を通過した空気は臭気の濃度が低くなる。そのため、貯蔵室１内の臭気濃度が低い状態になるため、貯蔵室１の臭気濃度が低い冷蔵庫が実現できる。
【００３０】
またさらに、扉３が閉じられている状態で貯蔵室１の臭気濃度が高い場合、すなわち例えばメチルメルカプタンの濃度が０．７ｐｐｂ程度以上、また例えばジメチルサルファイドの濃度が２ｐｐｂ程度以上、またさらに例えばジメチルジサルファイドの濃度が３ｐｐｂ程度以上、さらに例えばトリメチルアミンの濃度が２０ｐｐｂ程度以上、またさらに例えばエタノールの濃度が０．５ｐｐｍ程度以上、さらに例えばメタノールの濃度が０．１ｐｐｍ程度以上の場合は、無電極型紫外線ランプ５を点灯し、エアーカーテン用送風機４を運転する。
【００３１】
したがって、エアーカーテン用送風機４が運転し、無電極型紫外線ランプ５が点灯するため、貯蔵室１内の臭気を脱臭フィルタ６で吸着し、さらに無電極型紫外線ランプ５の照射する紫外線により発生するオゾンが脱臭フィルタ６に吸着した臭気を分解するとともに空気中に漂っている臭気も分解する。そのため、貯蔵室１内の臭気濃度が低い状態になるため、貯蔵室１の臭気濃度が低い冷蔵庫が実現できる。
【００３２】
また、従来のような無電極型タイプではない紫外線ランプに対して無電極型紫外線ランプ５は点灯時の放電が短時間で終了し、その放電が微細放電であるため、ガラスバルブの温度が大きく上昇しないため寿命劣化原因が少ない。そのため、従来のような無電極型タイプではない紫外線ランプの寿命が３０００から３００００時間であるのに対して、無電極型紫外線ランプの寿命を約７００００時間にすることができる。
【００３３】
さらに、放電部が大気空間ではなくランプ内にあるため可燃性冷媒を用いた冷蔵庫にも安心して使用できる。
【００３４】
以上のように本実施の形態の冷蔵庫は、エアーカーテン用送風機４と紫外線を発生する無電極型紫外線ランプ５と脱臭フィルタ６と貯蔵室１内の臭気濃度を検知するガスセンサ７はエアーカーテン用冷気通路８内に設けられ、エアーカーテン用冷気通路８は貯蔵室１の上部にある吹出口９と吹出口９の下方もしくは貯蔵室１の奥部にある吸込口１０により構成され、扉３が閉じられている場合、貯蔵室１内の臭気濃度を検知するガスセンサ７の出力に応じて無電極型紫外線ランプ５とエアーカーテン用送風機４の運転を制御したので、貯蔵室１の臭気濃度を常に低い状態で持続することができる。
【００３５】
なお、脱臭フィルタ６は、複数の微細な孔を構成する不織布に臭気成分を吸着する脱臭効果があるとともに、同様に通過する冷気中に存在する浮遊菌も獲得することができる脱臭触媒としたが、脱臭フィルタ６は複数の微細な孔を幾何学的に構成するハニカム状としてもよい。脱臭フィルタ６をハニカム状にすると臭気成分を脱臭する表面積が同等でエアーカーテン用冷気通路８の通風抵抗を低くすることができ、エアーカーテン用送風機４により送られてくる冷気の風量が大きくなり、脱臭フィルタ６を通過する臭気成分の量が増加し、脱臭フィルタ６に吸着される臭気成分も増加するという効果が得られる。
【００３６】
（実施の形態２）
図２は、本発明の実施の形態２による冷蔵庫の断面図である。なお、実施の形態１と同一構成の部分については重複をさけるため同一符号を付け説明を省略する。
【００３７】
図２に示すように、貯蔵室１の開口に設けられている開閉自在な扉３が開放されている。
【００３８】
以上のように構成された冷蔵庫について、以下その動作を説明する。
【００３９】
開閉自在な扉３を開放されている場合、エアーカーテン用送風機４を運転する。
【００４０】
したがって、貯蔵室１上部の吹出口９と吹出口９の下方もしくは貯蔵室１の奥部にある吸込口１０によりエアーカーテン１１が形成される。エアーカーテン１１により貯蔵室１の臭気と冷蔵庫の外気とを遮断する程度の風速を出すようにエアーカーテン用送風機４は運転している。そのため、扉３が開放された場合に貯蔵室１内の臭気漏れを低減することができ、不快感を与えない冷蔵庫が実現できる。
【００４１】
以上のように本実施の形態の冷蔵庫は、開閉自在な扉３を開放されている場合、エアーカーテン用送風機４を運転し、貯蔵室１上部の吹出口９と吹出口９の下方もしくは貯蔵室１の奥部にある吸込口１０によりエアーカーテン１１が形成するようにエアーカーテン用送風機４を運転し、貯蔵室１の臭気と冷蔵庫の外気とを遮断するため、貯蔵室１内の臭気漏れを低減することができ、不快感を与えないことができる。
【００４２】
（実施の形態３）
図３は、本発明の実施の形態３による冷蔵庫の遠近図である。なお、実施の形態１から実施の形態２までと同一構成の部分については重複をさけるため同一符号を付け説明を省略する。
【００４３】
図１または図２の構成にさらに図３に示す構成を追加したもので、第２のエアーカーテン用送風機１２は、第２のエアーカーテン用冷気通路１３内に設けられている。第２のエアーカーテン用冷気通路１３は、貯蔵室１の前両側面のどちらか一方に形成された第２の吹出口１４と、その反対側に形成された第２の吸込口１５により構成されている。
【００４４】
以上のように構成された冷蔵庫について、以下その動作を説明する。
【００４５】
開閉自在な扉３が開放されている場合、第２のエアーカーテン用送風機１２を運転する。
【００４６】
したがって、貯蔵室１の前両側面のどちらか一方に形成された第２の吹出口１４と、その反対側に形成された第２の吸込口１５により第２のエアーカーテン１６が形成される。第２のエアーカーテン１６により扉３付近に気流の流れが起こる。第２のエアーカーテン１６により扉３を開けるときに扉３に誘引される臭気を吸引する程度の風速を出すように第２のエアーカーテン用送風機１２は運転している。そのため、扉３が開放された場合に、扉３に誘引される臭気を吸引することができ、不快感を与えない冷蔵庫が実現できる。
【００４７】
以上のように本実施の形態の冷蔵庫は、開閉自在な扉３が開放されている場合、貯蔵室１の前両側面のどちらか一方に形成された第２の吹出口１４と、その反対側に形成された第２の吸込口１５により第２のエアーカーテン１６が形成するように第２のエアーカーテン用送風機１２を運転し、扉３に誘引される臭気を吸引することができ、不快感を与えないことができる。
【００４８】
（実施の形態４）
図４は、本発明の実施の形態４による冷蔵庫の特性図である。なお、実施の形態１から実施の形態３までと同一構成の部分については重複をさけるため同一符号を付け説明を省略する。
【００４９】
図４に示すように、無電極型紫外線ランプ５の紫外線の波長が２００ｎｍ以下となっている。
【００５０】
以上のように構成された冷蔵庫について、以下その動作を説明する。
【００５１】
無電極型紫外線ランプ５は２００ｎｍ以下の波長の紫外線を照射する。そのため、その２００ｎｍ以下の紫外線を酸素分子に照射・吸収させると酸素分子を解離するのに有効なエネルギーが得られ、オゾンが発生する。特に紫外線の波長が１５０ｎｍから２００ｎｍの時に酸素分子を解離するのに有効なエネルギーが得られ、より多くのオゾンを発生することができる。
【００５２】
したがって、その発生したオゾンが脱臭フィルタ６に吸着した臭気をより多く分解することができるとともに空気中に漂っている臭気も分解する冷蔵庫を実現できる。
【００５３】
以上のように、本実施の形態の冷蔵庫は、無電極型紫外線ランプ５の波長を２００ｎｍ以下にすることにより、酸素分子を解離するのに有効なエネルギーが得られ、より多くのオゾンを発生することができ、その発生したオゾンが脱臭フィルタ６に吸着した臭気をより多く分解することができるとともに空気中に漂っている臭気も分解することができる。
【００５４】
（実施の形態５）
図５は、本発明の実施の形態５による冷蔵庫の断面図である。なお、実施の形態１から実施の形態４までと同一構成の部分については重複をさけるため同一符号を付け説明を省略する。
【００５５】
図５に示すように、無電極型紫外線ランプ５を脱臭フィルタ６の風上に設けた構成となっている。
【００５６】
以上のように構成された冷蔵庫について、以下その動作を説明する。
【００５７】
無電極型紫外線ランプ５から発生したオゾンがエアーカーテン用送風機４より送り出される風によって浮遊し、脱臭フィルタ６に直接あてることができる。
【００５８】
したがって、脱臭フィルタ６に吸着している臭気を効果的に分解する冷蔵庫を実現できる。
【００５９】
以上のように、本実施の形態の冷蔵庫は、無電極型紫外線ランプ５を脱臭フィルタ６の風上に設けることにより、無電極型紫外線ランプ５から発生したオゾンがエアーカーテン用送風機４より送り出される風によって浮遊し、脱臭フィルタ６に直接あてることができ、脱臭フィルタ６に吸着している臭気を効果的に分解することができる。
【００６０】
（実施の形態６）
図６は、本発明の実施の形態６による冷蔵庫の断面図である。なお、実施の形態１から実施の形態５までと同一構成の部分については重複をさけるため同一符号を付け説明を省略する。
【００６１】
図６に示すように、無電極型紫外線ランプ５をエアーカーテン用冷気通路８内の吹出口９付近に設けた構成となっている。
【００６２】
以上のように構成された冷蔵庫について、以下その動作を説明する。
【００６３】
吹出口９付近に設けられた無電極型紫外線ランプ１７から発生したオゾンがエアーカーテン用送風機４の風により貯蔵室１内へ吐出される。
【００６４】
したがって、貯蔵室１の壁面に付着した臭気を分解するとともに、貯蔵室１内に浮遊している臭気も分解する冷蔵庫を実現できる。
【００６５】
以上のように、本実施の形態の冷蔵庫は、無電極型紫外線ランプ１７をエアーカーテン用冷気通路８内の吹出口９付近に設けることにより、無電極型紫外線ランプ５から発生したオゾンがエアーカーテン用送風機４の風により貯蔵室１内へ吐出され、貯蔵室１の壁面に付着した臭気を分解することができるとともに、貯蔵室１内に浮遊している臭気も分解することができる。
【００６６】
（実施の形態７）
図７は、本発明の実施の形態７による冷蔵庫の断面図である。なお、実施の形態１から実施の形態６までと同一構成の部分については重複をさけるため同一符号を付け説明を省略する。
【００６７】
図７に示すように、光触媒１８を無電極型紫外線ランプ５の風上に設けた構成となっている。
【００６８】
以上のように構成された冷蔵庫について、以下その動作を説明する。
【００６９】
エアーカーテン用冷気通路８内に設けられたエアーカーテン用送風機４により送り出される風により臭気が無電極型紫外線ランプ５の紫外線を照射された光触媒１８で酸化分解することができる。この光触媒１８で酸化分解される臭気成分は脱臭フィルタ６による物理吸着や科学吸着では分解しきれない臭気成分である。
【００７０】
したがって、脱臭フィルタ６による物理吸着と科学吸着で分解する臭気成分と光触媒１８による酸化分解で分解する臭気成分の両方が分解することができるため、複合臭を低減する冷蔵庫を実現できる。
【００７１】
以上のように、本実施の形態の冷蔵庫は、光触媒１８を無電極型紫外線ランプ５の風上に設けることにより、無電極型紫外線ランプ５の紫外線を照射された光触媒１８で酸化分解される臭気成分と脱臭フィルタ６による物理吸着と科学吸着で分解する臭気成分の両方が分解することができるため、複合臭を低減することができる。
【００７２】
【発明の効果】
以上説明したように請求項１に記載の発明は、貯蔵室の前面開口部を開閉自在な扉と、前記貯蔵室の上部に形成され下方に冷気を吹き降ろす吹出口と、前記吹出口より下方に形成された吸込口と、前記吹出口と前記吸込口を連通する冷気通路と、前記冷気通路内に配設された送風機と紫外線を発生する無電極型紫外線ランプと脱臭フィルタと、前記貯蔵室内の臭気濃度を検知するガスセンサとを備え、前記扉が閉じられている場合、前記ガスセンサの出力に応じて前記無電極型紫外線ランプと前記送風機の運転を制御するものであり、寿命を長く維持でき、可燃性冷媒を用いた冷蔵庫にも安心して使用することができる。
【００７３】
また、請求項２に記載の発明は、請求項１に記載の発明において、扉が開放された場合、ガスセンサの出力にかかわらず送風機を運転するものであり、扉開時に貯蔵室内の臭気漏れを低減することができる。
【００７４】
また、請求項３に記載の発明は、請求項１または請求項２に記載の発明に、さらに、貯蔵室の両側面のどちらか一方に形成された第２の吹出口と、その反対側に形成された第２の吸込口と、前記第２の吹出口と前記第２の吸込口を連通する第２の冷気通路と、前記第２の冷気通路内に配設された第２の送風機とを備え、扉が開放された場合、前記第２の送風機を運転するものであり、扉開時に扉に誘引される臭気を吸引することができる。
【００７５】
また、請求項４に記載の発明は、請求項１から請求項３のいずれかに記載の発明において、無電極型紫外線ランプは２００ｎｍ以下の紫外線を照射するものであり、発生したオゾンが脱臭フィルタに吸着した臭気を分解することができる。
【００７６】
また、請求項５に記載の発明は、請求項１から請求項４にいずれかの記載の発明において、無電極型紫外線ランプを脱臭フィルタの風上に設けるものであり、効果的に吸着した臭気を分解することができる。
【００７７】
また、請求項６に記載の発明は、請求項１から請求項４のいずれかに記載の発明において、無電極型紫外線ランプを冷気通路内で、吹出口付近に設けたものであり、貯蔵室の壁面に付着した臭気を分解することができる。
【００７８】
また、請求項７に記載の発明は、請求項１から請求項４のいずれかに記載の発明において、光触媒を無電極型紫外線ランプの風上に設けるものであり、脱臭フィルタによる物理吸着や化学吸着では分解しきれない臭気を光触媒の酸化分解により分解するため複合臭を低減できる。
【図面の簡単な説明】
【図１】本発明による冷蔵庫の実施の形態１の断面図
【図２】本発明による冷蔵庫の実施の形態２の断面図
【図３】本発明による冷蔵庫の実施の形態３の遠近図
【図４】本発明による冷蔵庫の実施の形態４を示す特性図
【図５】本発明による冷蔵庫の実施の形態５の断面図
【図６】本発明による冷蔵庫の実施の形態６の断面図
【図７】本発明による冷蔵庫の実施の形態７の断面図
【図８】従来の冷蔵庫の断面図
【符号の説明】
１    貯蔵室
３    扉
４    エアーカーテン用送風機
５，１７  無電極型紫外線ランプ
６    脱臭フィルタ
７    ガスセンサ
８    エアーカーテン用冷気通路
９    吹出口
１０  吸込口
１１  エアーカーテン
１２  第２のエアーカーテン用送風機
１３  第２のエアーカーテン用冷気通路
１４  第２の吹出口
１５  第２の吸込口
１８  光触媒
【図１】
2004325039.tif 000004
【図２】
2004325039.tif 000005
【図３】
2004325039.tif 000006
【図４】
2004325039.tif 000007
【図５】
2004325039.tif 000008
【図６】
2004325039.tif 000009
【図７】
2004325039.tif 000010
【図８】
2004325039.tif 000011